(57)【特許請求の範囲】
【請求項１】
循環式呼吸回路により患者の肺の換気を行いながら全身麻酔をかける麻酔器の始業前点検の項目にある前記呼吸回路の漏れ試験の際に前記呼吸回路の患者端を閉鎖するために用いるプラグで、
漏れ試験の陽圧が加わった場合には気密性を保ち、前記麻酔器と併用されるガスモニタによる計測用ガス吸引により前記呼吸回路内ガスが減少した場合には外部の空気を前記呼吸回路内に取り込み前記呼吸回路内が陰圧になることを防止する一方向弁をもつ漏れ試験用閉鎖プラグ。
【請求項２】
請求項１の漏れ試験用閉鎖プラグに漏れ試験で用いる圧力を超える圧力を外気へ逃がす陽圧安全弁を備えた漏れ試験用閉鎖プラグ。
【請求項３】
請求項１または２の漏れ試験用閉鎖プラグを備えた循環式呼吸回路を形成する麻酔器。
【請求項４】
循環式呼吸回路により患者の肺の換気を行いながら全身麻酔をかける麻酔器の始業前点検の項目にある前記呼吸回路の漏れ試験の際に、一方向弁を有するプラグで前記呼吸回路の患者端を閉鎖し、
漏れ試験の陽圧が加わった場合には前記呼吸回路内の気密性を保ち、前記麻酔器と併用されるガスモニタによる計測用ガス吸引により前記呼吸回路内ガスが減少した場合には外部の空気を前記呼吸回路内に取り込み前記呼吸回路内が陰圧になることを防止する循環式呼吸回路の漏れ試験方法。
【発明の詳細な説明】
【技術分野】
【０００１】  この発明は、循環式呼吸回路で患者に麻酔ガスや酸素を供給する麻酔器および循環式呼吸回路の漏れ試験に関する。
【背景技術】
【０００２】  麻酔器１００およびその外部の回路によって形成される循環式呼吸回路は、図１に示すものがある。人工呼吸器１または呼吸バッグ２により麻酔器内呼吸回路３の内部を加圧し、第一の一方向弁４、吸気チューブ７を通して呼吸回路内の麻酔薬を含むガス６を患者肺２４に送り、人工呼吸器１または呼吸バッグ２の加圧を止めると患者肺２４内のガスは呼気チューブ８、第二の一方向弁５を通して人工呼吸器１または呼吸バッグ２に戻り、この動作を繰り返すことでガス６を循環させながら患者肺２４の換気を行う循環式呼吸回路を構成する。患者の呼気に含まれる炭酸ガスはキャニスタ１０３に充填された炭酸ガス吸収材で除去される。新鮮ガス流入口１０１から麻酔薬を含む調節されたガスを取り入れ、余ったガスは余剰麻酔ガス排出口１０２から排出し、循環式呼吸回路内のガス濃度が調節される。【０００３】  循環式呼吸回路の一部を構成する吸気チューブ７と、呼気チューブ８の２本の導管は麻酔器１００に接続されている。２本のチューブの患者側端部は２つのチューブをＹ字形部品９で結合され、ひとつの流路に合流するようになっている。【０００４】  Ｙ字形部品９の患者側端部１０にはコネクタが形成され、患者の気管に挿入された気管挿管チューブ１１の呼吸回路側プラグ外周のテーパ部１２が、Ｙ字形部品９のコネクタの患者側端部１０または麻酔器１００と併用される麻酔ガス分析装置１５のために使用される中継管１７の患者側端部１３に挿入されることで接続可能となっている。Ｙ字形部品９の患者側端部１０、中継管１７の両端、および気管挿管チューブ１１の呼吸回路側プラグ外周のテーパ部１２は、図８に示す国際規格ＩＳＯ５３５６―１やＪＩＳＴ７２０１―２―１で定められた形状寸法となっている。【０００５】  麻酔器１００は使用前に循環式呼吸回路の漏れ試験を実施する。漏れ試験の方法は、図２の通りＹ字形部品９の患者側端部１０または中継管１７の患者側端部１３を閉鎖プラグ１４により閉塞した状態で、循環式呼吸回路の内圧を３０ｃｍＨ２Ｏ（３０ｈＰａ）に上昇させ、少なくとも１０秒間は内圧（ゲージ圧）が３０ｃｍＨ２Ｏ（３０ｈＰａ）に保たれることを確認する方法が一般的（非特許文献１、３ページおよび６−７ページ）である。【０００６】  図３の麻酔器の枠線部の拡大図が図４であり、このように患者側端部１３を閉塞する手段として、漏れ試験用の閉鎖プラグ１４を備える麻酔器もある。この場合、閉鎖プラグ１４に患者側端部１３を接続し、閉鎖された循環回路に一定量または一定圧のガスを供給し、漏れ試験を実施することができる。なお、ガスを供給してから漏れ試験までを自動で実施する麻酔器もある。
【先行技術文献】
【非特許文献】
【０００８】
【非特許文献１】麻酔器の始業点検（２０１９年８月改訂）社団法人日本麻酔科学会発行
【発明の概要】
【発明が解決しようとする課題】
【０００９】  麻酔器１００は患者が吸入する麻酔ガス濃度、並びに患者呼気に含まれる麻酔ガス濃度および炭酸ガス濃度などを計測するための麻酔ガス分析装置１５と併用されるため、Ｙ字形部品９と気管挿管チューブ１１またはマスクの間にガスサンプリングコネクタ１６を有する中継管１７が接続される場合がある。また、Ｙ字形部品９などにガスサンプリングコネクタを有している場合もある。【００１０】  麻酔ガス分析装置１５が作動中は、麻酔ガス分析装置１５に内蔵された吸引ポンプにより、患者が吸入・排出するガスを連続的にガスサンプリングコネクタ１６から吸引する。【００１１】  麻酔器１００と併用される麻酔ガス分析装置１５がＹ字形部品９もしくは中継管１７に接続された状態で、麻酔器の始業点検（非特許文献１）に従った漏れ試験を実施し、終了後そのままの状態で患者側端部１０もしくは１３が閉鎖プラグ１４に接続され循環式呼吸回路が閉鎖されていると、サンプリングガスが循環式呼吸回路から持続的に引かれ、漏れ試験時にガスで満たされた呼吸バッグ２が虚脱し、さらにサンプリングガスが引かれた場合、回路内圧計１８や圧力センサ１９、流量センサ２０、２１などに過度の陰圧がかかりこれら機器が損傷に至る場合がある。【００１２】  機器損傷を防ぐ目的で麻酔器内呼吸回路３に陰圧を防止する一方向弁を設けている麻酔器もあるが、万が一麻酔中に回路内に設けた一方向弁に故障が生じれば、患者の生命はリスクにさらされることになる。
【課題を解決するための手段】
【００１３】  本発明はこのような課題を解決するためになされたものであって、
［１］循環式呼吸回路により患者の肺の換気を行いながら全身麻酔をかける麻酔器の始業前点検（非特許文献１）の項目にある前記呼吸回路の漏れ試験の際に前記呼吸回路の患者端を閉鎖するために用いるプラグで、漏れ試験の陽圧が加わった場合には気密性を保ち、前記麻酔器と併用されるガスモニタによる計測用ガス吸引により前記呼吸回路内ガスが減少した場合には外部の空気を前記呼吸回路内に取り込み前記呼吸回路内が陰圧になることを防止する一方向弁をもつ漏れ試験用閉鎖プラグ。
［２］［１］の漏れ試験用閉鎖プラグに漏れ試験で用いる圧力を超える圧力を外気へ逃がす陽圧安全弁を備えた漏れ試験用閉鎖プラグ。
［３］［１］の閉鎖プラグを備えた循環式呼吸回路を形成する麻酔器。
［４］循環式呼吸回路により患者の肺の換気を行いながら全身麻酔をかける麻酔器の始業前点検の項目にある前記呼吸回路の漏れ試験の際に、一方向弁を有するプラグで前記呼吸回路の患者端を閉鎖し、
漏れ試験の陽圧が加わった場合には前記呼吸回路内の気密性を保ち、前記麻酔器と併用されるガスモニタによる計測用ガス吸引により前記呼吸回路内ガスが減少した場合には外部の空気を前記呼吸回路内に取り込み前記呼吸回路内が陰圧になることを防止する循環式呼吸回路の漏れ試験方法。
【発明の効果】
【００１４】  本発明に依れば、麻酔ガス分析装置１５がＹ字形部品９もしくは中継管１７に接続された状態で、漏れ試験終了後や麻酔器１００を使用しないときに患者側端部１０もしくは１３が一方向弁２２を備えた図５の閉鎖プラグに接続され循環式呼吸回路が閉鎖されていると、サンプリングガスが循環式呼吸回路から持続的に引かれ、漏れ試験時にガスで満たされた呼吸バッグ２が虚脱し、さらにサンプリングガスが引かれた場合、回路内圧計１８や圧力センサ１９、流量センサ２０、２１などに過度の陰圧がかかりこれら機器が損傷に至ることを防止することができる。【００１５】  また、麻酔器を患者に使用中はこの一方向弁２２は循環式呼吸回路には接続されないので、万が一この一方向弁２２に故障が生じても患者がリスクに晒されることはない。
【図面の簡単な説明】
【００１６】
【図１】麻酔器１００の循環式呼吸回路構成を示す図である。実線で囲んだ部分が麻酔器である。
【図２】漏れ試験時、患者側端部を閉鎖プラグで閉じた状態の循環式回路構成を示す図である。
【図３】閉鎖プラグを備えた麻酔器の外観を示す図である。枠線部分に閉鎖プラグを備えている。
【図４】図３の麻酔器において、閉鎖プラグへの患者側端部の接続を示す拡大の図である。
【図５】本発明の陰圧弁を備えた閉鎖プラグの構造の一例を示す図である。
【図６】本発明の陰圧弁および陽圧安全弁を備えた閉鎖プラグの構造の一例を示す図である。
【図７】本発明の閉鎖プラグを使用した麻酔器の漏れ試験の回路構成を示す図である。
【図８】循環式呼吸回路を構成する各部品の嵌合部形状を定めたＪＩＳ規格を示す図である。
【図９】漏れ試験の状態でガスサンプリングコネクタ１６から呼吸回路内のガスの吸引を続けた場合の本発明の閉鎖プラグを使用した場合と、従来の閉鎖プラグを使用した場合の呼吸回路内の圧力を示す図である。
【発明を実施するための形態】
【００１７】  本発明によれば、図７に基づいて手術開始前あるいは手術終了後、図４のようにＹ字型部品９または中継管１７の患者端を閉鎖プラグ１４に接続したまま吸気チューブ７および呼気チューブ８などを保持される場合があるが、このとき閉鎖プラグ１４が本発明の図５の構造であれば麻酔ガス分析装置１５が循環式呼吸回路に接続されて呼吸バッグ２が虚脱した後もサンプリングガスが循環式呼吸回路から持続的に引かれて循環式呼吸回路内が周囲の大気圧より低くなった場合、一方向弁２２により外気が流れ込んで陰圧となることを防止し、回路内圧計１８、流量センサ２０、２１、圧力センサ１９の破損を防ぐことができる。
【００１８】  図６は一方向弁の別の形態例であり、図８のコネクタサイズ１５ｍｍの形状をした閉鎖プラグで閉鎖プラグの外部から閉鎖プラグ先端の循環回路へ向けて外気が流入する一方向弁および閉鎖プラグ先端の循環回路が４０ｈＰａ以上となったときに循環回路内のガスを外気へ逃がす陽圧安全弁を設けてある。
【００１９】  図６の通り、漏れ試験時に過度な陽圧から麻酔器を保護するための陽圧安全弁２５を一方向弁２２と並列に試験用の閉鎖プラグ２３に設けてもよい。本発明の閉鎖プラグはそれ単体として使用することもできるし、図３の通り麻酔器本体に備えることもできる。後者の場合、図４の通り始業前点検後、患者側端部を閉鎖プラグ２３に接続して固定しておくことで、呼吸回路内を陽圧および陰圧から保護しつつ麻酔器に取り付けられた吸気チューブ７、呼気チューブ８、Ｙ字形部品９が床に落下することを防止する一時架台として使用することもできるといった効果・利便性もある。
【実施例】
【００２０】  図４に示した麻酔器に備えられた閉鎖プラグを図５（または図６）に示す一方向弁（及び陽圧安全弁）を備えた閉鎖プラグに置き換えて、患者側端部１０もしくは１３を閉鎖プラグに接続し循環式呼吸回路が閉鎖され、麻酔ガス分析装置１５によりサンプリングガスが持続的に引かれた状態での呼吸回路内圧力を計測したところ、機器損傷圧力（ゲージ圧）を麻酔器搭載の回路内圧計の下限目盛り−１０ｈＰａとした場合、図９の通り従来プラグは吸引時間の増加に伴い呼吸回路内の圧力が下がって行き、機器破損圧力（−１０ｈＰａ以下）に達するが、図５（または図６）の構造で製作した発明プラグでは機器破損圧力に達しないまま維持される。
【産業上の利用可能性】
【００２１】  本発明の閉鎖プラグは麻酔器における循環式呼吸回路の漏れ試験に利用することができる。
【符号の説明】
【００２２】１  人工呼吸器
２  呼吸バッグ
３  麻酔器内呼吸回路
４  一方向弁
５  一方向弁
６  ガス
７  吸気チューブ
８  呼気チューブ
９  Ｙ字形部品
１０  患者側端部
１１  気管挿管チューブ
１２  テーパ部
１３  患者側端部
１４  閉鎖プラグ
１５  麻酔ガス分析装置
１６  ガスサンプリングコネクタ
１７  中継管
１８  回路内圧計
１９  圧力センサ
２０  流量センサ
２１  流量センサ
２２  一方向弁
２３  閉鎖プラグ
２４  患者肺
２５  陽圧安全弁
１００  麻酔器
１０１  新鮮ガス流入口
１０２  余剰麻酔ガス排出口
１０３  キャニスタ
【要約】
【課題】  麻酔器の漏れ試験に用いる閉鎖プラグによって循環式呼吸回路が閉鎖された状態で麻酔ガス分析装置によるガスサンプリングによりガスの吸引が続いて呼吸回路内が過度の陰圧となり麻酔器内呼吸回路にある部品が損傷することを防止する。
【解決手段】  漏れ試験用閉鎖プラグに一方向弁を組み合わせ、呼吸回路内からガスを吸引されても外気を取り込むことで過度の陰圧となることを防止する。
【選択図】図７【図１】
0006944621.tif 000002
【図２】
0006944621.tif 000003
【図３】
0006944621.tif 000004
【図４】
0006944621.tif 000005
【図５】
0006944621.tif 000006
【図６】
0006944621.tif 000007
【図７】
0006944621.tif 000008
【図８】
0006944621.tif 000009
【図９】
0006944621.tif 000010